(57)【要約】【課題】  線状材の任意の位置に自在に装着して、線状材を容易に引き回すことが可能で構造が簡素な引き回し治具を提供する。【解決手段】  引き回し治具１２は、線状材１０の外周を囲むようにして当該線状材１０に装着可能なケーシング１４と、このケーシング１４の外周に配置された複数個の転動体１８を備えている。ケーシング１４は半割り構造とされ、ケーシング１４の内周側には線状材１０の外径との寸法調整がなされたアタッチメント３０を備えている。【選択図】        図１ 
2005054849.tif 000002
【特許請求の範囲】
【請求項１】
線状材の外周を囲むようにして当該線状材に装着可能なケーシングと、このケーシングの外周に配置された複数個の転動体を備えたことを特徴とする線状材の引き回し治具。
【請求項２】
前記ケーシングが半割り構造とされたことを特徴とする請求項１に記載の線状材の引き回し治具。
【請求項３】
前記ケーシングの内周側に前記線状材の外径との寸法調整が可能なアタッチメントを備えたことを特徴とする請求項１又は請求項２に記載の線状材の引き回し治具。
【発明の詳細な説明】
【技術分野】
【０００１】
本発明は線状材の引き回し治具に係り、特にホースやケーブルなどの線状材を床面又は地上面で引き回す場合に好適な線状材の引き回し治具に関する。
【背景技術】
【０００２】
被洗浄物に高圧水を噴射し、被洗浄物を洗浄することが行われている。図６はこのような洗浄の様子を示す説明図である。高圧水製造装置１は高圧ポンプを内蔵しており、製造した高圧水を高圧ホース２から送り込む。高圧ホース２の先端には噴射ノズル３が取り付けられており、作業員４が噴射ノズル３を抱え、被洗浄物５に向けて噴射ノズル３から高圧水を噴射する。高圧水の噴射によって被洗浄物５が洗浄される。通常、高圧水製造装置１は車両に搭載されるか、又は走行車輪を有して移動自在とされ、高圧水製造装置１をできるだけ被洗浄物５に近づけて洗浄する場合が多い。しかしながら、高圧水製造装置１が固定位置にある場合や被洗浄物５の設置位置等によっては高圧水製造装置１を被洗浄物５に接近させることが困難なケースがあり、このようなケースでは高圧水製造装置１から高圧ホース２を長々と繰り出して、被洗浄物５の位置まで引き回す必要がある。また、被洗浄物５の背面５Ａを洗浄する時には、この背面５Ａに噴射ノズル３が向くように高圧ホース２を背面５Ａ側に引き回す必要がある。高圧ホース２は外径が５ｃｍ程度であるが、耐圧仕様であるため単位当たりの空重量が３ｋｇ／ｍ程度と重い。このため、例えば長さが１００ｍの高圧ホース２を引き回す場合には、高圧ホース２の総重量が３００ｋｇとなり、引き回すための労力が多大になる。また、このような重い高圧ホース２を床面又は地上面との摩擦に抗して無理に引っ張ると高圧ホース２の外周面を損傷させる。さらに、高圧ホース２にキンク部６がある状態で無理に引っ張ると、このキンク部６に過大な曲げ応力が作用して高圧ホース２が折損し易くなる。高圧ホース２内に高圧水が入った状態では、水の重量が加わるのでより一層、上述の問題点が大きくなる。
【０００３】
このような問題点を解決するための方策として、特許文献１には洗浄ホースを容易かつ的確に導くことができ、作業員の労力を軽減することができるホースガイド装置が開示されている。
【０００４】
【特許文献１】特開２００２−２３９４９１号公報
【発明の開示】
【発明が解決しようとする課題】
【０００５】
しかしながら、特許文献１に記載されたホースガイド装置は構造が複雑である。また、その設置位置にも制約があり、自在性に欠ける面があった。
本発明の目的は，上記従来技術の欠点を解消し、高圧ホースのような線状材の任意の位置に自在に装着して、線状材を容易に引き回すことが可能であり、かつ構造が簡素な線状材の引き回し治具を提供することにある。
【課題を解決するための手段】
【０００６】
上記の目的を達成するために、本発明に係る線状材の引き回し治具は、線状材の外周を囲むようにして当該線状材に装着可能なケーシングと、このケーシングの外周に配置された複数個の転動体を備えたことを特徴とする。
【０００７】
上記の構成の線状材の引き回し治具は、ケーシングが半割り構造とされたことが好ましい。また、ケーシングの内周側に前記線状材の外径との寸法調整が可能なアタッチメントを備えたことが好ましい。
【発明の効果】
【０００８】
本発明に係る線状材の引き回し治具は、ケーシングの外周に配置された複数個の転動体を備えており、線状材の外周を囲むように装着される。すると、転動体は床面と当接することになり、線状材が床面と接触することはない。転動体はあらゆる方向に自在に転動するので、転動体と床面との間の転がり抵抗のみの小さい力で線状材を円滑に引き回し移動させることができる。
【０００９】
また、ケーシングを半割り構造とすることによって、線状材の任意の位置への着脱が容易となり、構造の簡素化を図ることができる。線状材の外径との寸法調整が可能なアタッチメントを備えたことによって、外径の異なる複数種の線状材への装着が可能であり、便利である。
【発明を実施するための最良の形態】
【００１０】
図１は本発明に係る引き回し治具の第１実施形態を示す斜視図である。線状材１０は例えば洗浄用の高圧水が通る高圧ホースであり、この線状材１０の要所に所定間隔で引き回し治具１２が装着される。引き回し治具１２は内周と外周を有したドーナツ状のケーシング１４を備えている。ケーシング１４の内周は円形であり、外周は六角形状とされている。外周の六角面１６にはそれぞれ転動体１８を嵌め込んだ自在座２０が取り付けられている。
【００１１】
図２は転動体１８と床面（地上面）２２との位置関係を示す要部図である。転動体１８は球体であり、その半球部が自在座２０のハウジング２１に没して自在座２０から脱落しないようにされ、残りの半球部が自在座２０の外側に突出して自在に転動する。図２（イ）のようにケーシング１４の六角面１６が床面２２と平行な時には、当然に転動体１８の突出半球部が床面２２と当接する。また、図２（ロ）のようにケーシング１４の角部２４が床面２２に向いた時にも、転動体１８の突出半球部が先に床面２２と当接し、角部２４と床面２２とが接触しないようにされている。この結果、引き回し治具１２が装着された線状材１０が図１に示したＸ，Ｙの方向又はその合成方向のいずれの方向に移動しようとしても、転動体１８が必ず床面２２と当接することになり、線状材１０の外周面や引き回し治具１２の角部２４が床面２２と接触することはない。しかも転動体１８はあらゆる方向に自在に転動するので、線状材１０が横方向に引っ張られると転動体１８が床面２２に対して接触回転する。したがって、転動体１８と床面２２との間の転がり抵抗のみの小さい力によって線状材１０を円滑に引き回し移動させることができる。
【００１２】
図３は引き回し治具１２の詳細構造を示す正面図である。ケーシング１４は半割り構造とされており、一対の半割りケーシング１４Ａ，１４Ｂがヒンジ２５によって連結され、開閉自在とされる。ケーシング１４Ａ，１４Ｂのヒンジ２５取り付け部の反対側にはクランプ部材２６、２７が取り付けられている。ケーシング１４Ａ，１４Ｂの内周２８は円周面とされ、この内周２８の内側にアタッチメント３０が装着されている。
【００１３】
アタッチメント３０は線状材１０の外径との寸法調整をするための部品であり、図４（イ）に示すように半割状のリングであり、その外周面３２がケーシング１４の内周径に対応し、その内周面３４が線状材１０の外径Ｄと対応して寸法が選定されている。したがって、装着の対象である線状材１０の外径Ｄが変化した場合には、アタッチメント３０を線状材１０の外径Ｄに合致したものに取り替えて使用される。図４（ロ）は線状材１０の外径Ｄが小さくなった場合のアタッチメント３０Ａを示している。すなわち、アタッチメント３０Ａの外周面３２はケーシング１４の内周径に対応しているので変化しないが、内周面３４Ａは線状材１０の外径Ｄと対応して寸法が小さく選定されている。アタッチメント３０の外周面３２には２個の突起３６が形成されており、この突起３６はケーシング１４の内周２８に設けられた凹部３８に嵌め込み可能とされる。
【００１４】
上記構成の引き回し治具１２を線状材１０に装着する場合には、まず、アタッチメント３０を線状材１０の外径と合致したものを選択して、ケーシング１４の内周２８側にセットする。この際、アタッチメント３０の突起３６をケーシング１４の内周２８に設けた凹部３８に嵌め込むことによって、アタッチメント３０とケーシング１４との相互位置が固定される。なお、ケーシング１４の内周径と線状材１０の外径Ｄに対応している時にはアタッチメント３０をセットする必要がない。
【００１５】
次に、ヒンジ２５を開いた状態で線状材１０の所定位置に引き回し治具１２をあてがい、ケーシング１４によって線状材１０の外周を囲み、クランプ部材２６，２７によって半割り構造のケーシング１４Ａ，１４Ｂを締め上げ、固定する。図１に示したように引き回し治具１２を線状材１０の複数の必要箇所に装着することによって、線状材１０の引き回し作業を容易にかつ円滑に行うことができる。引き回し治具１２は構造が簡素であり、安価に製作できる。また、ケーシング１４が半割り構造とされているので、線状材１０に対して簡単に着脱でき、繰り返し使用できる。また、アタッチメント３０を交換することにより、外径の異なる複数種の線状材１０への装着が可能であり、便利である。
【００１６】
図５は本発明に係る引き回し治具の第２実施形態を示す正面図である。引き回し治具４０は内周と外周を有したドーナツ状のケーシング４２を備えている。ケーシング４２の内周は円形であり、外周は八角形状とされている。外周の八角面４４の一つ置きにそれぞれ転動体４６を嵌め込んだ自在座４８が取り付けられている。転動体４６は球体であり、その半球部が自在座４８のハウジングに没して自在座４８から脱落しないようにされ、残りの半球部が自在座４８の外側に突出して自在に転動する。ケーシング４２は半割り構造とされ、ヒンジ５０を介して開閉自在とされ、クランプ５２によって締付け可能とされる。
この第２実施形態の引き回し治具４０は、前述の第１実施形態に比べて転動体の数が少なく構造がより一層簡素であり、安価に製作できる。
【００１７】
本発明に係る線状材は洗浄用の高圧ホースに限らない。高圧空気ホースや電線ケーブル、ワイヤケーブルなどの線状材に対しても本発明に係る引き回し治具を必要に応じて適宜利用することができる。前記各実施形態では転動体として球体のものを説明した。しかしながら、本発明に係る転動体は球体に限定されず、例えば自在車輪やローラ式の転動体を採用してもよい。
【図面の簡単な説明】
【００１８】
【図１】本発明に係る引き回し治具の第１実施形態を示す斜視図である。
【図２】転動体１８と床面２２との位置関係を示す要部図である。
【図３】引き回し治具１２の詳細構造を示す正面図である。
【図４】アタッチメント３０の正面図である。
【図５】本発明に係る引き回し治具の第２実施形態を示す正面図である。
【図６】従来技術に係る洗浄方法を示す説明図である。
【符号の説明】
【００１９】
１０………線状材、１２………引き回し治具、１４………ケーシング、１８………転動体、２０………自在座、２２………床面（地上面）、２５………ヒンジ、２６，２７………クランプ部材、３０………アタッチメント、３６………突起。
【図１】
2005054849.tif 000003
【図２】
2005054849.tif 000004
【図３】
2005054849.tif 000005
【図４】
2005054849.tif 000006
【図５】
2005054849.tif 000007
【図６】
2005054849.tif 000008